(57)【要約】【課題】高さ調節が容易で、作業性に優れた苗供給装置を備えた移植機を提供する。【解決手段】前方コンベア後端取付けブラケット２２ｂには、ストッパプレート２６が回動自在に連結されており、ストッパプレート２６は、前方コンベア２２の前端部３０に設けられたノブ３４を移動操作することにより回動する。ストッパプレート２６が回動すると、ストッパプレート２６の固定コンベア前端取付けブラケット２１ｂとの当接面が、第１当接面２６ｃから第２当接面２６ｄへと変わる。すると前方コンベア２２は、実線部に示す状態から二点鎖線で示す状態へと下降する。【選択図】図３
2008154501.tif 000002
【特許請求の範囲】
【請求項１】
走行機体の後部に植付装置を連結し、前記走行機体に該走行機体の前方から後方に向けて予備苗を搬送し得る苗搬送装置を設けた移植機において、
前記苗搬送装置は、前記走行機体に配置された固定部に対してその前方部分が上下方向に回動自在にかつ該前方部分の前端側の高さを変更自在に調節する高さ調節手段を介して連結し、
前記前方部分の前端部に、前記高さ調節手段を操作する操作部を設けた、
ことを特徴とする移植機。
【発明の詳細な説明】
【技術分野】
【０００１】
本発明は、苗を圃場に移植する田植機等の移植機に係り、詳しくは機体前方から後方へ向けて予備苗を搬送する苗搬送装置を備えた移植機に関する。
【背景技術】
【０００２】
従来、予備苗載せ台を兼用した苗搬送装置を機体に備えた田植機が提案されている（特許文献１参照）。
【０００３】
該苗搬送装置は、畦際から連続的に予備苗を補給するため、左右一対の外枠間に転動ローラを多数設けたローラコンベアを備え、予備苗が収められた苗箱等が機体前方から後方に向いて搬送されるように構成されると共に、該ローラコンベアは、前方部と、中央部と、後方部と、に分かれて構成されており、前方部、中央部及び後方部が、直線状に延びた展開姿勢と、中央部上方に前方部及び後方部が折り畳まれた格納姿勢等に姿勢変化可能に構成されている。
【０００４】
【特許文献１】特開２００５−１７６６８０号公報
【発明の開示】
【発明が解決しようとする課題】
【０００５】
しかし、上述した従来の苗搬送装置は、予備苗を搬送する展開姿勢と、予備苗載せ台として機能する格納姿勢との姿勢変化は容易に行えるが、展開姿勢において、畦際にいる作業者が苗箱を流す際の供給口である苗搬送装置前方部の前端部は、ボルト等によって固定された部材によってその位置が決まっている。
【０００６】
そのため、畦際の作業者が苗補給のため、展開姿勢にある苗搬送装置前方部の前端部から苗箱等を流す際、作業者の体格の違いや、圃場条件の違いによって、予備苗の供給口である苗搬送装置前方部の前端部の位置が、畦際の作業者にとって苗箱を供給する際の適正位置にない場合があり、苗箱の搬送に多大な労力を要することがある。
【０００７】
そこで、本発明は、畦際の作業者が、予備苗供給口となる前方端部分で、苗搬送装置の前方部分の高さ調節を行えるようにして、上述した課題を解決した移植機を提供することを目的とするものである。
【課題を解決するための手段】
【０００８】
本発明は、走行機体（１）の後部に植付装置（２）を連結し、前記走行機体（１）に該走行機体（１）の前方から後方に向けて予備苗を搬送し得る苗搬送装置（２０）を設けた移植機において、
前記苗搬送装置（２０）は、前記走行機体（１）に配置された固定部（２１）に対してその前方部分（２２）が上下方向に回動自在にかつ該前方部分（２２）の前端側の高さを変更自在に調節する高さ調節手段（２６）を介して連結し、
前記前方部分の前端部（３０）に、前記高さ調節手段を操作する操作部（３４）を設けた、
ことを特徴とする。
【発明の効果】
【０００９】
本発明によれば、苗搬送装置は、走行機体に配置された固定部に対してその前方部分を上下方向に回動自在かつ該前方部分の前端側の高さを変更自在に調節する高さ調節手段を介して連結し、前方部の前端部に高さ調節手段を操作する操作部を設けたことにより、畦際にいる作業者（補助者）が該操作部を操作することによって、苗搬送装置前方部の前端部の高さを調節することが出来る。これにより、畦際の作業者の体格の違いや、畦の高低差等による圃場条件の違いによって、苗搬送装置の前端部が作業者にとって適正位置になくても、畦際から容易に苗搬送装置の前端部の位置を適正位置に調節することが可能となり、畦際の作業者は、楽な姿勢で容易に予備苗の補給作業を行うことができる。
【００１０】
また、苗搬送装置の前端部の高さ調節をする際、工具等を必要としなく、どのような条件下においても、適宜に苗搬送装置の前端部の高さ調節を容易に行うことが出来る。
【発明を実施するための最良の形態】
【００１１】
以下、本発明の実施形態について図面に基づいて説明する。移植機（田植機）は、図１及び図２に示すように前輪３及び後輪４によって支持されている走行機体１を有している。走行機体１の前方中央部にはボンネット５に覆われたエンジンが搭載されており、その両側にはフロントステップ６が形成されている。また、ボンネット５の後方には、ステアリングハンドル９等を有する操作部８が配設されており、操作部８の床面はフロントステップ６から繋がるステップ１０によって覆われている。操作部８の後方には運転席１３が配設されており、該機体カバー１２後方には左右両側に前記ステップ１０よりも一段高く且つ平坦に構成した苗供給用ステップ１４が設けてある。また、運転席１３の進行方向左側には苗を搬送、載置しておく苗搬送装置２０が配設されている。
【００１２】
更に、走行機体１の後方には昇降リンク１５を介して作業機である植付装置２が昇降自在に設けられている。植付装置２は後方に向けて下降傾斜するように設けられた苗のせ台１６と、苗のせ台１６より一株ずつ苗を掻き取って植えつける複数のプランタ１７を備え、植付伝動ケースの下方には田面を整地すると共に植付け高さを一定にするための田面の高さを検知するフロート１８が配設されている。なお、本実施の形態では、苗を載置して搬送するものを、苗箱を代表して表現しているが、スクレーパでもよいことは勿論である。
【００１３】
図３に示すように、苗搬送装置２０は、固定コンベア（固定部）２１と、前方コンベア（前方部）２２と、後方コンベア２３から構成されており、機体左側方に配設されている。固定コンベア２１は、走行機体１より延設されている取付けステー１９によって走行機体１に固定されており、前方コンベア２２は、固定コンベア２１の前部に連結されている。また、後方コンベア２３は、固定コンベア２１の後部に連結されている。
【００１４】
固定コンベア２１は、左右一対の固定コンベアフレーム２１ａと、フレームを連結する複数の連結部材２５と、フレーム間に配設された転動ローラ２４等から構成されており、苗を搬送するローラコンベアとなっている。また、その前端において固定コンベア前端取付けブラケット２１ｂが固設されており、その後端において固定コンベア後端取付けブラケット２１ｃが固設されている。
【００１５】
前方コンベア２２は、その後端において前方コンベア後端取付けブラケット２２ｂが固設されており、前方コンベア２２は、該前方コンベア後端取付けブラケット２２ｂと、固定コンベア２１の前端に固設されている固定コンベア前端取付けブラケット２１ｂと、を連結ピン２７ａによって回動自在に連結することによって、固定コンベア２１と連結されている。
【００１６】
また、前方コンベア後端取付けブラケット２２ｂにはストッパプレート２６が回動ピン２８によって回動自在に連結されている。ストッパプレート２６は、略々台形状の板状部材であり、中央部には円弧状の穴２６ａが設けられている。この円弧状の穴２６ａには前方コンベア後端取付けブラケット２２ｂから突設された突起部が嵌合する。更に、ストッパプレート２６の外周には、切欠き部２６ｂが設けられており、該切欠き部２６ｂは、前方コンベア後端取付けブラケット２２ｂから突設される他の突起部と当接してストッパプレート２６の回動範囲を規制する。この円弧状の穴２６ａと、切欠き部２６ｂによってストッパプレート２６の回動範囲が規定されている。
【００１７】
一方、前方コンベア２２の前端部３０には、前方コンベア２２を掴むための握持部材３２が左右一対の取付けプレート３１間に設けられている。取付けプレート３１には、Ｌ字状の穴が設けられており、該Ｌ字状の穴には、ノブ（操作部）３４が移動自在に設けられている。ノブ３４は、連結ロッド３３を介してストッパプレート２６と連結しており、畦際の作業者が、ノブ３４を移動操作することによって、ストッパプレート２６を回動させることができるように構成されている。
【００１８】
後方コンベア２３は、その前端において後方コンベア前端取付けブラケット２３ｂが固設されており、後方コンベア２３は、該後方コンベア前端取付けブラケット２３ｂと、固定コンベア２１の後端に固設されている固定コンベア後端取付けブラケット２１ｃと、を連結ピン２７ｂによって回動自在に連結することによって固定コンベア２１と連結されている。
【００１９】
なお、前方コンベア２２及び後方コンベア２３も、固定コンベア２１と同様に、左右一対の前方コンベアフレーム２２ａ及び後方コンベアフレーム２３ａと、フレームを連結する連結部材２５と、フレーム間に配設された転動ローラ２４等により構成されており、苗を搬送するローラコンベアとなっている。
【００２０】
また、前方コンベア２２と、後方コンベア２３は、固定コンベア２１の上方に折り畳み可能であり、苗搬送装置２０は、全体として直線状に伸びた伸展状態と、固定コンベア２１上に前方コンベア２２及び後方コンベア２３が折り畳まれた格納状態等に姿勢変更可能に構成されている。
【００２１】
苗搬送装置２０が伸展状態にある場合、固定コンベア２１が前高後低に走行機体１に対して固定されているため、苗搬送装置２０全体として前高後低に傾斜しており、かつ前端３０は、走行機体１の前端より所定量突出するように伸び、後端は、苗のせ台１６上端の近傍まで伸びる。
【００２２】
ついで、以上の構成による苗搬送装置２０を備えた移植機の動作について説明する。
【００２３】
田植機等の移植機は、植付作業の開始時又は作業途中に苗の補給をする場合、苗搬送装置２０を伸展状態にして畦に対して垂直に移植機を寄せる。畦際の作業者は、苗を苗箱に納めた状態、スクレーパで苗箱から苗を掬い取った状態、スクレーパを苗箱に差し込んだ状態等の様々な状態で畦際のトラックから苗搬送装置２０に苗を流す。
【００２４】
このとき、畦の高低差等による圃場条件の違いや、畦際の作業者の体格の違いにより、苗箱の供給口である苗供給装置２０の前端部３０が、畦際の作業者が苗を供給する際の適正位置よりも上方になる場合がある。その際、畦際の作業者は、苗箱の供給口を適正位置に調節するため、前方コンベア２２の前端部３０に配置された握持部材３２を掴み、前方コンベア２２を上方へと少し持ち上げる。この段階で、作業者は、ノブ３４を取付けプレート３１に設けられたＬ字状の穴の他端へと移動操作し、ストッパプレート２６を回動させる。
【００２５】
ストッパプレート２６は、固定コンベア前端取付けブラケット２１ｂと当接することで前方コンベア２２の位置決めをしており、苗搬送装置２０が、伸展状態の場合、ストッパプレート２６の第１当接面２６ｃが、固定コンベア前端取付けブラケット２１ｂと当接している。ストッパプレート２６が回動すると、ストッパプレート２６の固定コンベア前端取付けブラケット２１ｂとの当接面が、第１当接面２６ｃから第２当接面２６ｄへと変わる。すると前方コンベア２２は、図３（ｂ）中において実線部に示す状態から二点鎖線で示す状態へと下降する。
【００２６】
なお、ストッパプレート２６は、前方コンベア２２が持ち上げられると、それまでストッパプレート２６に掛かっていた前方コンベア２２の自重が掛からなくなるため、ノブ３４の移動操作により、回動可能となる。
【００２７】
また、ストッパプレート２６には、持ち手２６ｅが設けられている。田植機側の作業者が、この持ち手２６ｅを操作することによってもストッパプレート２６を回動させることが可能である。
【００２８】
畦際の作業者は、前方コンベア２２が下降すると、苗を収めた苗箱を苗搬送装置２０へと流し始める。このとき、前方コンベア２２は、機体前方へと軽微に下降傾斜しているため、畦際の作業者は、苗箱を勢い良く押し出したり、固定コンベア２１まで複数の苗箱を連ねて流したり、前方コンベア２２を上方に持ち上げたりして苗箱を植付装置側に流す。
【００２９】
上記のように、苗搬送装置２０の前端部３０は、該前端部３０に設けられたノブ３４を操作することによって高さ調節することが可能となる。これにより、苗搬送装置２０の前端部３０が作業者にとって適正位置になくても、畦際から容易に苗搬送装置２０の前端部３０の位置を適正位置に調節することが可能となり、畦際の作業者は、楽な姿勢で容易に予備苗の補給作業を行うことができる。
【００３０】
なお、本実施形態においては、前方コンベア２２を伸展状態から下方に高さ調節可能に設けたが、上方に向けて高さ調節可能に構成してもよい。また、本実施形態では、前方コンベア２２の高さ調節は２段階であったが、更に多段階に高さ調節することができるように構成しても良く、多段階に調節することによって前方コンベア２２を上下方に高さ調節可能に設けても良い。
【図面の簡単な説明】
【００３１】
【図１】本発明に係る移植機の平面図。
【図２】本発明に係る移植機の側面図。
【図３】（ａ）本発明に係る苗搬送装置の平面図。（ｂ）本発明に係る苗搬送装置の側面図。
【符号の説明】
【００３２】
１    走行機体
２    植付装置
２０  苗搬送装置
２１  固定コンベア（固定部）
２２  前方コンベア（前方部）
３０  前端部
３３  連結ロッド
３４  ノブ（操作部）
【図１】
2008154501.tif 000003
【図２】
2008154501.tif 000004
【図３】
2008154501.tif 000005